(57)【特許請求の範囲】
【請求項１】
肌対向面を形成する表面シート、非肌対向面を形成する外層シート、及び両シート間に介在する吸収体収容部に収容された吸収体を具備する縦長の吸収性本体と、該吸収性本体の肌対向面側における本体長手方向の両側部それぞれに形成された防漏壁とを備えた吸収性物品であって、
前記防漏壁は、疎水性の伸縮性シートを本体長手方向に延びる第１接合部及び第２接合部で前記吸収性本体に接合すると共に、排泄部対向領域の前方及び後方において該伸縮性シートを該吸収性本体に接合して形成され、該排泄部対向領域において、中空部を有するループ状をなして起立しており、
前記排泄部対向領域におけるループ状の前記防漏壁において、前記第１接合部と前記第２接合部とが本体幅方向に離間して配置され、且つ両接合部の間に空間が形成され、該空間を介して該防漏壁の前記中空部と前記吸収体収容部とが連通しており、
前記排泄部対向領域におけるループ状の前記防漏壁の本体幅方向に沿う断面視形状が、該防漏壁をそのループの頂部側から該頂部の反対側に向けて前記中空部を潰すように押圧した場合に、該防漏壁の内側部の下方部が、前記吸収性本体の肌対向面と接し得る形状であり、
前記排泄部対向領域におけるループ状の前記防漏壁の前記内側部の下方部に、開孔が多数形成され、該開孔を介して該防漏壁の前記中空部と外部とが連通しており、
前記開孔の最大径は２〜５ｍｍ、前記開孔の数は、前記防漏壁の本体長手方向の長さ１ｃｍ当たり、４〜５０個であり、
多数の前記開孔は、個々の該開孔の本体長手方向における中心が互いに一致しないように配置されている吸収性物品。
【請求項２】
前記排泄部対向領域におけるループ状の前記防漏壁の外側部に、液不透過性の防漏フィルムが配置されている請求項１記載の吸収性物品。
【請求項３】
前記排泄部対向領域におけるループ状の前記防漏壁の前記中空部に、該中空部よりも中空部内の容積が小さい、小中空部を有するループ状をなして起立する第２の防漏壁が配置されている請求項１又は２記載の吸収性物品。
【請求項４】
前記第２の防漏壁が、前記防漏壁の外側部側に偏在している請求項３記載の吸収性物品。
【請求項５】
前記外層シートが、前記吸収体から相対的に近い内側外層シートと相対的に遠い外側外層シートとを含んで構成されており、前記第２の防漏壁が、該内側外層シート及び／又は該外側外層シートを含んで構成されている請求項３又は４記載の吸収性物品。
【発明の詳細な説明】
【技術分野】
【０００１】
本発明は、使い捨ておむつ、吸収パッド、生理用ナプキン等の吸収性物品に関する。
【背景技術】
【０００２】
この種の吸収性物品として、肌対向面側に配置された表面シート、非肌対向面側に配置された外層シート、及び両シート間に介在する吸収体収容部に収容された吸収体を具備する縦長の吸収性本体を備えたものが知られている。また、斯かる構成の吸収性物品において、着用中の軟便や経血等の体液が幅方向に移動して吸収性本体の側部から漏れてしまう横漏れを防止するために、該吸収性本体の肌対向面側における本体長手方向の両側部それぞれに防漏壁を設けたものが知られている。例えば特許文献１には、防漏壁として、バリヤーシートに本体長手方向に延びる弾性伸縮部材が固定されてなるバリヤーカフスを備えた紙おむつにおいて、弾性伸縮部材とバリヤーシートの内側縁との間に、軟便の透過孔を形成することが記載されている。特許文献１によれば、特許文献１に記載の紙おむつの着用中において、バリヤーカフスによって横漏れが阻止された軟便は、透過孔からバリヤーカフス内に透過するので、軟便と着用者の肌とが直接接触することが抑制される。
【０００３】
また、防漏壁の着用者へのフィット性を高めるために、中空部を有するループ状の防漏壁が知られている。例えば、引用文献２には、中空部を有するループ状の防漏壁を構成する伸縮性シートの本体長手方向に沿う一側部が、前記表面シートの肌対向面に接合され、該伸縮性シートの他側部が、前記外層シート（裏面シート）の肌対向面に接合され、これら両接合部の間に空間が形成され、該空間を介して該防漏壁の中空部と前記吸収体収容部とが連通している吸収性物品（生理用ナプキン）が記載されている。特許文献２によれば、特許文献２に記載の吸収性物品は、中空部を有するループ状の防漏壁が着用時に違和感を生じ難いため、フィット性が高く、ヨレ防止性、漏れ防止性に優れている。
【先行技術文献】
【特許文献】
【０００４】
【特許文献１】特開平３−１８６２６１号公報
【特許文献２】特開２０１０−４２０５８号公報
【発明の概要】
【発明が解決しようとする課題】
【０００５】
特許文献１に記載の紙おむつは、バリヤーカフス（防漏壁）の本体幅方向に沿う断面視形状が略三角形状であることにより、着用中における着用者の体圧によってバリヤーカフスを構成する壁面中央部に応力集中するため、バリヤーカフスが潰れやすく、バリヤーカフスの起立安定性に乏しいため、横漏れ防止の点で改善の余地がある。更には、バリヤーカフスが潰れることで壁面の開孔が塞がれるために、軟便等の高粘性の排泄液が通過しにくくなる等の問題を有する。また、特許文献２に記載の吸収性物品は、排泄液の横漏れ防止については一定の効果を奏するものの、防漏壁によって横漏れが阻止され表面シート上に留まる排泄液が、該防漏壁の内側部近傍に溜まり、吸収体に吸収され難い場合があり、液吸収性の点で改善の余地がある。
【０００６】
従って本発明の課題は、防漏壁の特定部分に応力集中しにくい構造のために防漏壁が潰れにくく起立安定性が良好で、横漏れ防止性に優れ、更には、防漏壁の開孔が塞がれにくく特に高粘性の液吸収性に優れる吸収性物品を提供することにある。
【課題を解決するための手段】
【０００７】
本発明は、肌対向面を形成する表面シート、非肌対向面を形成する外層シート、及び両シート間に介在する吸収体収容部に収容された吸収体を具備する縦長の吸収性本体と、該吸収性本体の肌対向面側における本体長手方向の両側部それぞれに形成された防漏壁とを備えた吸収性物品であって、前記防漏壁は、疎水性の伸縮性シートを本体長手方向に延びる第１接合部及び第２接合部で前記吸収性本体に接合すると共に、排泄部対向領域の前方及び後方において該伸縮性シートを該吸収性本体に接合して形成され、該排泄部対向領域において、中空部を有するループ状をなして起立しており、前記排泄部対向領域におけるループ状の前記防漏壁において、前記第１接合部と前記第２接合部とが本体幅方向に離間して配置され、且つ両接合部の間に空間が形成され、該空間を介して該防漏壁の前記中空部と前記吸収体収容部とが連通しており、前記排泄部対向領域におけるループ状の前記防漏壁の本体幅方向に沿う断面視形状が、該防漏壁をそのループの頂部側から該頂部の反対側に向けて前記中空部を潰すように押圧した場合に、該防漏壁の内側部の下方部が、前記吸収性本体の肌対向面と接し得る形状であり、前記排泄部対向領域におけるループ状の前記防漏壁の前記内側部の下方部に、開孔が形成され、該開孔を介して該防漏壁の前記中空部と外部とが連通している吸収性物品を提供することにより、前記課題を解決したものである。
【発明の効果】
【０００８】
本発明によれば、フィット性及び肌対向面のドライ感に優れた吸収性物品が提供される。
【図面の簡単な説明】
【０００９】
【図１】図１は、本発明の吸収性物品の一実施形態である使い捨ておむつを示す図であり、各部の弾性部材を伸張させて平面状に拡げた状態を示す肌対向面側（表面シート側）の模式平面図である。
【図２】図２は、図１のＩ−Ｉ線断面（本体幅方向に沿う断面）の模式斜視図である。
【図３】図３は、図１に示す使い捨ておむつにおける防漏壁の本体幅方向に沿う模式断面図である。
【図４】図４は、図１に示す使い捨ておむつにおける防漏壁の内側部の模式側面図である。
【図５】図５（ａ）及び図５（ｂ）は、それぞれ、図１に示す使い捨ておむつにおける防漏壁による排泄液の吸収作用の説明図である。
【図６】図６（ａ）、図６（ｂ）及び図６（ｃ）は、それぞれ、本発明に係る防漏壁の他の実施形態の本体幅方向に沿う模式断面図である。
【図７】図７（ａ）、図７（ｂ）、図７（ｃ）及び図７（ｄ）は、それぞれ、本発明に係る防漏壁の更に他の実施形態の本体幅方向に沿う模式断面図である。
【図８】図８（ａ）、図８（ｂ）及び図８（ｃ）は、それぞれ、本発明に係る防漏壁の更に他の実施形態の本体幅方向に沿う模式断面図である。
【図９】図９は、本発明の吸収性物品の一実施形態である生理用ナプキンを示す図であり、各部の弾性部材を伸張させて平面状に拡げた状態を示す肌対向面側（表面シート側）の模式平面図である。
【発明を実施するための形態】
【００１０】
以下、本発明の吸収性物品について、その好ましい一実施形態である使い捨ておむつに基づき図面を参照しながら説明する。本実施形態のおむつ１Ａは、いわゆる展開型の使い捨ておむつであり、図１及び図２に示すように、肌対向面１ａを形成する液透過性の表面シート２、非肌対向面１ｂを形成する液不透過性ないし撥水性（以下、これらを総称して液不透過性という）の外層シート３、及び両シート２，３間に介在する吸収体収容部４０に収容された吸収体４を具備する縦長の吸収性本体５と、吸収性本体５の肌対向面１ａ側における長手方向Ｘの両側部それぞれに形成された防漏壁６，６とを備えている。吸収体収容部４０は、表面シート２と外層シート３とが貼り合わされて、吸収体４が収容される空間が形成されたものであり、この空間が吸収体４の収容部になっている。
【００１１】
本明細書において、長手方向は、吸収性物品（例えば使い捨ておむつ、生理用ナプキン）又はその構成部材（例えば吸収性本体、防漏壁）の長辺に沿う方向であり、幅方向は、該長手方向と直交する方向である。図中、符号Ｘで示す方向は、吸収性本体５の長手方向（本体長手方向）であり、符号Ｙで示す方向は、吸収性本体５の幅方向（本体幅方向）である。また、肌対向面は、吸収性物品又はその構成部材における、吸収性物品の着用時に着用者の肌側に向けられる面であり、非肌対向面は、吸収性物品又はその構成部材における、吸収性物品の着用時に肌側とは反対側（着衣側）に向けられる面である。
【００１２】
おむつ１Ａ（吸収性本体５）は、図１に示すように、長手方向Ｘに、着用時に着用者の背側に配される背側部Ａ（後方領域）と、着用時に着用者の腹側に配される腹側部Ｂ（前方領域）と、着用時に着用者の股下の配される股下部Ｃとを有している。股下部Ｃは、着用時に着用者の排泄部と対向する排泄部対向領域であり、おむつ１Ａ（吸収性本体５）の長手方向Ｘの中央部に位置している。おむつ１Ａ（吸収性本体５）は、股下部Ｃの両側縁が内向きの円弧状に湾曲しており、図１に示す如き平面視において、長手方向Ｘの中央部が内方に括れた砂時計状の形状となっている。
【００１３】
表面シート２、外層シート３及び吸収体４は、何れも一方向Ｘに長い縦長の形状を有している。表面シート２及び外層シート３は、長手方向Ｘに関しては、何れも、吸収体４の長手方向Ｘの前後端から長手方向外方に延出し、それらの延出部において、ホットメルト型接着剤、ヒートシール、超音波シール等の公知の接合手段によって互いに接合されている。一方、幅方向Ｙに関しては、図２に示すように、表面シート２は、その幅方向Ｙの長さが吸収体４と略同じで、吸収体４の肌対向面の全域を被覆しているのに対し、外層シート３は、表面シート２よりも幅広で、吸収体４の非肌対向面の全域を被覆し、更に吸収体４の長手方向Ｘに沿う左右両側縁４ｓ，４ｓから幅方向Ｙの外方に延出している。この外層シート３の吸収体４からの延出部は、防漏壁６を構成する伸縮性シート７に、第２接合部９その他公知の接合手段によって接合されて、両シート３，７からなるサイドフラップ部を形成している。
【００１４】
股下部Ｃの左右両側部における外層シート３と伸縮性シート７との積層部分（前記サイドフラップ部）は、着用者の脚周りに配される一対のレッグ部を構成している。各レッグ部における両シート３，７間には、図２に示すように、ホットメルト型接着剤等の公知の接合手段により、糸状のレッグ弾性部材１１が長手方向Ｘに沿って伸長状態で挟持固定されており、着用時における各レッグ部には、レッグ弾性部材１１の収縮によりレッグギャザーが形成される。また、背側部Ａ及び腹側部Ｂそれぞれのウエスト部（長手方向Ｘの端部）には、ウエスト弾性部材１２が幅方向Ｙに沿って配されてウエストギャザーが形成されている。ウエスト弾性部材１２は帯状の形態を有し、表面シート２及び伸縮性シート７それぞれと外層シート３との間に公知の接合手段により伸長状態で挟持固定されている。
【００１５】
また、図１に示すように、おむつ１Ａの背側部Ａの長手方向Ｘに沿う両側縁部には、一対のファスニングテープ１３，１３が設けられている。より具体的には、背側部Ａ及び腹側部Ｂそれぞれの左右一対の前記サイドフラップ部（外層シート３と伸縮性シート７との積層部分）それぞれに、ファスニングテープ１３が幅方向Ｙの外方に延出して取り付けられている。ファスニングテープ１３には、機械的面ファスナーのオス部材からなる止着部１４が取り付けられている。また、おむつ１Ａの腹側部Ｂの非肌対向面１ｂには、機械的面ファスナーのメス部材からなる被止着領域１５が形成されている。被止着領域１５は、外層シート３の非肌対向面に、機械的面ファスナーのメス部材を公知の接合手段で接合固定して形成されており、ファスニングテープ１３の止着部１４を着脱自在に止着可能である。
【００１６】
以下に、本実施形態のおむつ１Ａの主たる特長部分であるループ状の防漏壁６について説明する。防漏壁６は、図１及び図２に示すように、疎水性の伸縮性シート７を、吸収性本体５の長手方向Ｘに延びる第１接合部８及び第２接合部９で吸収性本体５に接合すると共に、排泄部対向領域（股下部Ｃ）の前方（腹側部Ｂ）及び後方（背側部Ａ）において伸縮性シート７を吸収性本体５に接合して起立阻害部６１を形成することで形成され、股下部Ｃにおいて、中空部６０を有するループ状をなして起立している。
【００１７】
防漏壁６について更に説明すると、本実施形態のおむつ１Ａでは、図１及び図２に示すように、帯状の疎水性の伸縮性シート７が、吸収性本体５の肌対向面１ａにおける長手方向Ｘの両側部それぞれに、長手方向Ｘに沿って配設及び接合されており、伸縮性シート７の収縮により、肌対向面１ａ側に凸に起立した中空部６０を有するループ状の防漏壁６が形成される。ここで、「起立」とは、防漏壁６の最も上方に位置する部位（頂部６ａ）が、表面シート２の表面（肌対向面）よりも上方に位置する状態を意味する。後述する第２の防漏壁２０の「起立」についても同様である。
【００１８】
防漏壁６は、股下部Ｃ（排泄部対向領域）及びその前後に位置する領域（背側部Ａ及び腹側部Ｂそれぞれの股下部Ｃ寄りの部分）において、図２に示すように、中空のループ状をなして肌対向面１ａ側に凸に起立しており、防漏壁６のループ状をなして起立している部分は、排泄部対向領域よりも長手方向Ｘに広い領域である。一方、背側部Ａ及び腹側部Ｂに属する、おむつ１Ａ（吸収性本体５）の長手方向端部においては、図示していないが、防漏壁６（伸縮性シート７）は、肌対向面１ａ側に凸に起立した中空のループ状を形成しないように積極的に折り曲げられており、その折り曲げられた伸縮性シート７は、ホットメルト型接着剤、ヒートシール、超音波シール等の公知の接合手段によって吸収性本体５に接合されて、防漏壁６の起立が阻害された起立阻害部６１を形成している。起立阻害部６１は、防漏壁６の前方側（腹側部Ｂに位置する部位）及び後方側（背側部Ａに位置する部位）それぞれの内部からの防漏を図る手段としても機能する。
【００１９】
防漏壁６を構成する疎水性の伸縮性シート７は、本実施形態のおむつ１Ａにおいては、弾性部材７３により伸縮性が付与された複合シートである。伸縮性シート７は、図１〜図３に示すように、肌対向面側のシート７１と、非肌対向面側のシート７２と、それらのシート７１，７２間に、複数本の弾性部材７３を配置して形成されている。肌対向面側のシート７１と非肌対向面側のシート７２とは、連続した１枚の疎水性シートであり、図３に示すように、吸収性本体５の長手方向Ｘに延びる折曲線Ｌ１で２つ折りされてシート７１，７２とされ、両シート７１，７２が互いに重ね合わされている。互いに重ね合わされたシート７１，７２間は、公知の接合手段により接合されていても良い。伸縮性シート７は、こうして互いに重ね合わされた肌対向面側のシート７１と非肌対向面側のシート７２との間に、複数本の糸状の弾性部材７３を、公知の接合手段によって、シート７１，７２の長手方向Ｘに伸長状態で配置固定して形成されている。本実施形態における複数本の弾性部材７３それぞれは、図１に示すように、吸収性本体５の長手方向Ｘの全長に亘って配置されているが、少なくとも股下部Ｃ（排泄部対向領域）よりも長く配置されていれば良い。
【００２０】
本実施形態における伸縮性シート７では、疎水性のシート７１，７２間に、３本の弾性部材７３が吸収性本体５の長手方向Ｘに延びて配置されている。図３に示すように、３本の弾性部材７３のうちの１本は、ループ状をなして起立している防漏壁６の頂部６ａに配置され、他の２本は、防漏壁６の内側部６Ａ及び外側部６Ｂそれぞれに１本ずつ配置されている。頂部６ａを境界として、防漏壁６における、頂部６ａよりもおむつ１Ａ（吸収性本体５）の幅方向Ｙの内方側が、防漏壁６の内側部６Ａであり、頂部６ａよりもおむつ１Ａ（吸収性本体５）の幅方向Ｙの外方側が、防漏壁６の外側部６Ｂである。
【００２１】
防漏壁６（伸縮性シート７）は、図２及び図３に示すように、吸収性本体５の長手方向Ｘに延びる第１接合部８及び第２接合部９にて吸収性本体５に接合されている。第１接合部８は、伸縮性シート７の長手方向Ｘの一側部、より具体的には、前記１枚の疎水性シートの折曲線Ｌ１近傍における、肌対向面側のシート７１の表面が、吸収性本体５を構成する表面シート２の肌対向面に接合されて形成されている。また、第２接合部９は、伸縮性シート７の前記一側部（折曲線Ｌ１近傍）から幅方向Ｙの外方に所定距離離間した部位における、非肌対向面側のシート７２の表面が、吸収体４の側縁４ｓの近傍にて、吸収性本体５を構成する外層シート３の肌対向面に接合されて形成されている。このように、帯状の伸縮性シート７を、吸収性本体５の長手方向Ｘの側部に、長手方向Ｘに沿って、配設及び接合しているため、伸縮性シート７の収縮により、中空部６０を有するループ状に起立した部分を有する防漏壁６が形成される。
【００２２】
第１接合部８及び第２接合部９は、それぞれ、おむつ１Ａにおける他の接合部と同様に、ホットメルト型接着剤、ヒートシール、超音波シール等の公知の接合手段によって形成することができる。本実施形態においては、両接合部８，９は、ホットメルト型接着剤によって形成されている。両接合部８，９は、それぞれ、防漏壁６の長手方向Ｘの全長に亘って連続している。
【００２３】
図２及び図３に示すように、股下部Ｃ（排泄部対向領域）におけるループ状の防漏壁６において、第１接合部８と第２接合部９とは、幅方向Ｙに離間して配置されており、且つ両接合部８，９の間に空間１０が形成され、空間１０を介して該防漏壁６の中空部６０と吸収体収容部４０とが連通している。空間１０は、防漏壁６の長手方向Ｘの全長に亘って連続しており、股下部Ｃのみならずその前後の領域にも形成されている。吸収体収容部４０の長手方向Ｘに沿う左右両側部それぞれには、吸収体４が配されておらず、平面視して帯状の空間からなるポケット部４１が形成されており、空間１０の下方にはポケット部４１が位置している。ポケット部４１は、吸収体収容部４０の長手方向Ｘの全長に亘って連続して形成されていても良いが、股下部Ｃ（排泄部対向領域）において形成され、股下部Ｃの前後領域（背側部Ａ、腹側部Ｂ）では形成されないことが好ましい。このように、ポケット部４１を股下部Ｃに局所的に形成することにより、股下部Ｃにおいてポケット部４１に取り込まれた軟便等の排泄液が吸収体４により前後と横から取り囲まれて吸収されるために、より早く吸収体４に吸収させることが可能となる。ポケット部４１は、後述するように、防漏壁６の中空部６０に吸収され空間１０を介して吸収体収容部４０内に収容された軟便等の排泄液の、吸収体４に吸収させる前の一時的な貯蔵部として機能し得る。
【００２４】
股下部Ｃ（排泄部対向領域）におけるループ状の防漏壁６の幅方向Ｙに沿う断面視形状は、図３に示す如き円形形状である。更に説明すると、股下部Ｃにおけるループ状の防漏壁６の幅方向Ｙの断面視形状は、防漏壁６をそのループの頂部６ａ側から該頂部６ａの反対側（空間１０側）に向けて中空部６０を潰すように押圧した場合に〔図５（ｂ）参照〕、該防漏壁６の長手方向Ｘに延びる内側部６Ａ（頂部６ａよりもおむつ１Ａの幅方向Ｙの内方側に位置する部位）の下方部６Ａ１が、吸収性本体５の肌対向面１ａ（表面シート２）と接し得る形状であり、その具体例が図３に示す如き円形形状である。下方部６Ａ１は、ループ状の防漏壁６の内側部６Ａにおける下半分の領域である。
【００２５】
股下部Ｃにおいて中空部６０を有するループ状をなして起立する、防漏壁６の幅方向Ｙの断面視形状が、図３に示す如き円形形状に代表される、押圧時に応力集中による座屈することなく前記特定形状に変形し得る形状であると、圧縮回復性が高いため、おむつ１Ａの着用時において、ループ状をなして起立する防漏壁６が着用者の体圧等の外力によって潰されて変形しても（図５（ｂ）参照）、その外力が取り除かれた後は速やかに元の形状に回復することができ、防漏壁６の起立安定性が向上する。更には、防漏壁６の座屈変形が生じないため、後述する開孔６５が塞がれることがなく、液の透過性が低下しにくい。これに対し、防漏壁６の幅方向Ｙの断面視形状が、特許文献１に記載のバリヤーカフスの如き三角形形状あるいは四角形状等であると、円形形状等に比しバリヤーカフスを構成する頂点間の壁面に応力集中しやすく座屈することにより圧縮回復性に乏しいため、良好な起立安定性は得られない。また、バリヤーカフスを構成する壁面が座屈することで開孔が塞がれてしまい液の透過性が低下する。
【００２６】
防漏壁６の幅方向Ｙの断面視形状を、図３に示す如き円形形状に代表される、押圧時に前記特定形状に変形し得る形状とする上で、防漏壁６を構成する弾性部材７３の数及び配置形態並びに防漏壁６（伸縮性シート７）の吸収性本体５との接合形態は重要である。本実施形態においては、図２及び図３に示すように、弾性部材７３の数及び配置形態に関しては、中空部６０を有するループ状をなして起立している防漏壁６の頂部６ａ並びに頂部６ａから幅方向Ｙの内方及び外方それぞれに等距離離間した位置の計３箇所に計３本の弾性部材７３を配置し、また、防漏壁６の吸収性本体５との接合形態に関しては、長手方向Ｘに延びる互いに平行な２本の第１接合部８及び第２接合部９にて防漏壁６を吸収性本体５に接合することで、防漏壁６の幅方向Ｙに沿う断面視形状を、図３に示す如き円形形状とし、良好な起立安定性を確保している。
【００２７】
そして、股下部Ｃ（排泄部対向領域）におけるループ状の防漏壁６は、幅方向Ｙの断面視形状が、前述の如き円形形状に代表される特定形状であることに加えて、図２〜図４に示すように、その内側部６Ａの下方部６Ａ１に、開孔６５が形成され、開孔６５を介して防漏壁６の中空部６０と外部とが連通している。開孔６５は、平面視して楕円形形状で、伸縮性シート７（シート７１，７２）を厚み方向に貫通しており、少なくとも股下部Ｃにおける防漏壁６の下方部６Ａ１に多数形成されている。開孔６５は、軟便等の排泄液を防漏壁６の中空部６０内に吸収する透液孔として機能する。
【００２８】
防漏壁６の多数の開孔６５は、図４に示すように、個々の開孔６５の長手方向Ｘにおける位置が一致しないように配置されている。ここで、「個々の開孔の長手方向における位置」とは、吸収性本体５の長手方向Ｘに沿う方向における、個々の開孔６５の中心Ｐの位置を意味する。即ち、多数の開孔６５から任意に２つを選択し、その２つの開孔６５それぞれについて、開孔６５の中心Ｐを通って防漏壁６の起立高さ方向（垂直方向）に延びる仮想直線Ｌ３を引いた場合に、その２本の仮想直線Ｌ３が互いに重ならないように、多数の開孔６５は配置されている。防漏壁６における多数の開孔６５の配置形態を、このように長手方向Ｘにおいて互いに異ならせることで、おむつ１Ａの着用時に着用者の体圧が防漏壁６にかかっても、開孔６５が潰れにくくなり、開孔６５の透液孔としての機能が維持されやすくなる。
【００２９】
股下部Ｃ（排泄部対向領域）におけるループ状の防漏壁６は、幅方向Ｙの断面視形状が、前述の如き円形形状に代表される特定形状であることに加えて、図３に示すように、内側部６Ａの下方部６Ａ１の外面における任意の１本の接線Ｌ２（図３では２本の接線Ｌ２を図示している）と吸収性本体５の肌対向面１ａ（表面シート２の肌対向面）とのなす角度θが、９０°未満であることが好ましく、５〜４５°であることが特に好ましい。角度θが９０°未満であると、ループ状の防漏壁６が着用者の体圧を受けて潰れたときに、開孔６５が形成されている内側部６Ａの下方部６Ａ１が、吸収性本体５の肌対向面１ａ（表面シート２）と接しやすく、それにより、防漏壁６の内側部６Ａ近傍に存する排泄液を、開孔６５を介して防漏壁６内の中空部６０に吸収しやすくなる（図５（ｂ）参照）。
【００３０】
本実施形態に係る防漏壁６の作用効果について説明すると、股下部Ｃにおけるループ状の防漏壁６は、前述した、弾性部材７３の数及び配置形態並びに接合部８，９での吸収性本体５との接合等の工夫により、その幅方向Ｙの断面視形状が、図３に示す如き円形形状に代表される、押圧時に前記特定形状に変形し得る形状となっているため、圧縮回復性が高く、良好な起立安定性を有する。また、防漏壁６の内部が中空部６０となっているためクッション性が良好であり、良好な起立安定性と相俟って、おむつ１Ａのフィット性を向上させる。
【００３１】
また、防漏壁６は、尿等の低粘性の排泄液のみならず、軟便等の高粘性の排泄液に対しても、優れた横漏れ防止性及び液吸収性を発揮する。即ち、おむつ１Ａの着用時において、股下部Ｃ（排泄部対向領域）の中央部における表面シート２上に軟便等の排泄液が排泄され、該排泄液の一部が該表面シート２等を通過するのに時間がかかり下方の吸収体４に吸収されずに、該表面シート２上を幅方向Ｙに流れた場合、股下部Ｃにおいて中空部６０を有するループ状をなして起立する防漏壁６が、その排泄液の幅方向Ｙへの更なる流動を堰き止め、横漏れを防止する。図５（ａ）には、符号Ｕで示す軟便等の排泄液が、防漏壁６によって堰き止められて防漏壁６の内側部６Ａの近傍に存している状態が示されている。図５（ａ）に示す状態から、図５（ｂ）に示すように、おむつ１Ａの着用者の体圧等の外力Ｆにより防漏壁６が押し潰された場合、内側部６Ａの下方部６Ａ１が、その近傍の排泄液Ｕ側に倒れ、排泄液Ｕと接触する。このとき、排泄液Ｕは、下方部６Ａ１と接触しつつ、外力Ｆによって押圧された状態となり、ポンプの如き作用により、下方部６Ａ１に形成されている多数の開孔６５を介して、防漏壁６の中空部６０に吸収される。
【００３２】
こうして、防漏壁６の中空部６０に吸収された排泄液Ｕは、防漏壁６の第１接合部８と第２接合部９との間の空間１０を介して、空間１０の下方に位置する吸収体収容部４０のポケット部４１に速やかに収容され、吸収体４に吸収される。ポケット部４１は、排泄液を一時的に収用するバッファタンクとして機能し、吸収体４の液吸収能を効果的に補助する。このような防漏壁６の作用効果により、おむつ１Ａは、特に軟便等の高粘性の排泄液に対して有効であり、横漏れを起こし難く、液吸収性に優れる。
【００３３】
前述した防漏壁６による作用効果をより確実に奏させるようにする観点から、防漏壁６の各部の寸法等は次のように設定することが好ましい。
防漏壁６の外径Ｒ１（図５（ａ）参照）は、好ましくは１０〜５０ｍｍ、更に好ましくは１０〜３０ｍｍである。
防漏壁６の起立高さＲ２（図５（ａ）参照、表面シート２からの起立高さ）は、好ましくは１０〜５０ｍｍ、更に好ましくは２５〜３０ｍｍである。
第１接合部８と第２接合部９との離間距離Ｒ３（図５（ａ）参照）、即ち空間１０の幅方向Ｙの長さ（幅）Ｒ３は、好ましくは５〜３０ｍｍ、更に好ましくは５〜１５ｍｍである。
ポケット部４１の幅方向Ｙの長さ（幅）Ｒ４（図５（ａ）参照）は、好ましくは５〜３０ｍｍ、更に好ましくは５〜１５ｍｍである。
開孔６５の最大径（開孔６５が円形形状の場合は直径、図４に示す如き楕円形形状の場合は長径）は、好ましくは０．５〜１０ｍｍ、更に好ましくは２〜５ｍｍである。
開孔６５の数は、防漏壁６の長手方向Ｘの長さ１ｃｍ当たり、好ましくは４〜５０個、更に好ましくは４〜９個である。
【００３４】
おむつ１Ａにおける各部の形成材料について説明すると、表面シート２及び外層シート３としては、当該技術分野において従来用いられている各種のものを用いることができる。表面シート２としては、不織布や開孔フィルム等の各種液透過性のシート材を用いることができる。外層シート３としては、透湿性を有しない樹脂フィルムや、微細孔を有し、透湿性を有する樹脂フィルム、撥水不織布等の不織布、これらと他のシートとのラミネート体等の各種液不透過性ないし撥水性のものを用いることができる。吸収体４としては、パルプ繊維等からなる繊維集合体（不織布であっても良い）；該繊維集合体に吸水性ポリマーの粒子を保持させてなる吸収性コアを、透水性の薄紙や不織布からなるコアラップシートで被覆したもの；各種公知のポリマーシート等を用いることができる。
【００３５】
防漏壁６（伸縮性シート７）を構成する疎水性のシート７１，７２としては、例えば、ポリエチレン、ポリプロピレン等のプラスッチックフィルム；ポリエチレン、ポリプロピレン、ポリエチレンテレフタレート等の合成繊維を用いたスパンボンド、メルトブロー等の不織布等を用いることができる。特にポリプロピレン製の合成繊維を用いたスパンボンドとメルトブローとの多層不織布が好ましく、スパンボンド／メルトブロー／スパンボンド（ＳＭＳ）不織布が好適である。ポリプロピレンは吸水による座屈がなく安定しておりＳＭＳにすることで吸収性物品の防漏壁としてソフトタッチで、圧縮回復性が高く、良好な起立安定性を得ることができる。また、防漏壁６（伸縮性シート７）を構成する弾性部材７３としては、この種の吸収性物品において弾性部材として用いられている糸状又は帯状のものを特に制限無く用いることができる。
【００３６】
本発明に係る防漏壁は、前記実施形態に制限されず、本発明の趣旨を逸脱しない範囲で種々の形態のものを採用することができる。図６〜図８には、それぞれ、本発明に係る防漏壁の他の実施形態が示されている。尚、後述する他の実施形態（図９のナプキン１Ｂを含む）については、前記実施形態と異なる構成部分を主として説明し、同様の構成部分は同一の符号を付して説明を省略する。特に説明しない構成部分は、前記実施形態についての説明が適宜適用される。また、後述する防漏壁の他の実施形態については、主として左側の構成について説明し、右側の構成については、特に説明しない限り、左側の構成についての説明が適宜適用される。
【００３７】
股下部Ｃ（排泄部対向領域）におけるループ状の防漏壁６には、図６（ａ）〜図６（ｃ）に示すように、その外側部６Ｂ（頂部６ａよりもおむつ１Ａの幅方向Ｙの外方側に位置する部位）に、液不透過性の防漏フィルム７５が配置されていても良い。股下部Ｃ以外の防漏壁６に防漏フィルム７５が配置されていても構わない。防漏壁６の外側部６Ｂに防漏フィルム７５を配置することで、防漏壁６の防漏性がより向上し、横漏れがより効果的に防止される。図６（ａ）に示す防漏壁６においては、防漏壁６（伸縮性シート７）を構成する肌対向面側のシート７１と非肌対向面側のシート７２との間に防漏フィルム７５が介在配置されており、図６（ｂ）に示す防漏壁６においては、シート７１の表面に防漏フィルム７５が配されて防漏壁６の最外層を形成しており、図６（ｃ）に示す防漏壁６においては、シート７２の表面に防漏フィルム７５が配されて防漏壁６の最内層を形成している。これらの３つの形態の何れにおいても、防漏フィルム７５は、ループ状の防漏壁６の外側部６Ｂの下半分６Ｂ１に配されており、隣接するシートとホットメルト型接着剤等の公知の接合手段により接合されている。防漏フィルム７５としては、例えば、ポリエチレン、ポリプロピレン等のプラスッチックフィルム、又はこれらの樹脂を用いた微細孔を有し透湿性を有する樹脂フィルム等を用いることができる。
【００３８】
また、股下部Ｃ（排泄部対向領域）におけるループ状の防漏壁６の中空部６０には、図７（ａ）〜図７（ｄ）に示すように、中空部６０よりも中空部内の容積（当該中空部に他の部材が入っている場合はその他の部材を除いた場合の容積であり、当該中空部が本来有している容積を意味する）が小さい、小中空部２１を有するループ状をなして起立する第２の防漏壁２０が配置されていても良い。股下部Ｃ以外の防漏壁６の中空部６０に第２の防漏壁２０が配置されていても構わない。防漏壁６の中空部６０は、その下部に空間１０が形成されて開放されているが、第２の防漏壁２０の小中空部２１は、その下部が閉鎖されていて閉鎖空間となっている。
【００３９】
図７（ａ）及び図７（ｂ）に示す第２の防漏壁２０は、防漏壁６と同様に、複数本（３本）の弾性部材７３により伸縮性が付与された複合シート（疎水性シート）である、伸縮性シート７とは別体の帯状の伸縮性シート２２を含んで構成されている。伸縮性シート２２は、１枚の疎水性シートがその長手方向Ｘに延びる折曲線（図示せず）で２つ折りされ互いに重ね合わされて形成されており、伸縮性シート２２の全体が２層構造となっている。伸縮性シート２２における重ね合わされた疎水性シートどうしは、ホットメルト型接着剤等の公知の接合手段により接合されている。伸縮性シート２２としては、伸縮性シート７と同様のものを用いることができる。尚、伸縮性シート２２は、疎水性でなくても良いが、第２の防漏壁２０により防漏性を向上させる場合には疎水性であることが好ましい。
【００４０】
図７（ａ）に示す防漏壁６においては、第２の防漏壁２０を構成する伸縮性シート２２の長手方向Ｘに延びる図示しない一側部及び他側部は、互いに重ね合わされた状態で、防漏壁６の外側部６Ｂ側に位置する第２接合部９よりも更におむつ１（吸収性本体５）の幅方向Ｙの外方に配置されており、第１接合部８が位置する防漏壁６の内側部６Ａ側には配置されていない。伸縮性シート２２の両側部の外側部６Ｂ側への斯かる偏在により、第２の防漏壁２０は、防漏壁６の外側部６Ｂ側に偏在している。伸縮性シート２２は、防漏壁６を構成する伸縮性シート７（非肌対向面側のシート７２）と後述する外側外層シート３Ｂとの間に、第２接合部９その他の公知の接合手段により挟持固定されている。このように、防漏壁６の中空部６０に第２の防漏壁２０が外側部６Ｂ側に偏在して配置されていると、おむつ１Ａの着用中に体圧等によって防漏壁６が図５（ｂ）に示す如く押し潰されたときに、その内部の第２の防漏壁２０が、おむつ１Ａの内方側に空間１０を塞ぐように倒れるようになる。第２の防漏壁２０の斯かる倒れ込み動作により、防漏壁６の中空部６０にある排泄液は、ポケット部４１へ押し込められ、それにより液吸収性が一層向上する。また、第２の防漏壁２０が存在することによって、防漏壁６の起立性が向上し、更には圧縮回復性が向上することにより、防漏壁６の身体への追従性が良好になる。特に、防漏壁６の内側部６Ａの下方部６Ａ１に形成されている多数の開孔６５の数あるいは大きさによらず、防漏壁６の良好な圧縮回復性を得ることができる。
【００４１】
図７（ａ）に示す防漏壁６においては、第１接合部８は、伸縮性シート７の長手方向Ｘの一側部における、非肌対向面側のシート７２の表面が、吸収性本体５を構成する表面シート２の肌対向面に接合されて形成されている。また、外層シート３が、吸収体４から相対的に近い内側外層シート３Ａと相対的に遠い外側外層シート３Ｂとを含んで構成されている。内側外層シート３Ａは、吸収体４よりも若干幅広か又は吸収体４と略同幅で且つ外側外層シート３Ｂよりも幅狭であり、吸収体４の非肌対向面の全域を被覆している。内側外層シート３Ａと吸収体４及び外側外層シート３Ｂとの間は、それぞれ、ホットメルト型接着剤等の公知の接合手段により接合されていても良い。内側外層シート３Ａと外側外層シート３Ｂとは、組成、厚み、特性等が同じであっても良く、異なっていても良い。
【００４２】
図７（ｂ）に示す防漏壁６においては、第２の防漏壁２０が防漏壁６の外側部６Ｂ側に偏在している点は図７（ａ）に示す防漏壁６と同様であるが、第２の防漏壁２０を構成する伸縮性シート２２の長手方向Ｘに延びる両側部のうち、図示しない一側部が、防漏壁６を構成する伸縮性シート７（非肌対向面側のシート７２）と外側外層シート３Ｂとの間に、第２接合部９その他の公知の接合手段により挟持固定され、伸縮性シート２２の他側部２２Ａが、伸縮性シート７と外側外層シート３Ｂとの間に介在配置されずに、シート７２の表面に公知の接合手段により接合されている点で異なる。
【００４３】
図７（ｃ）及び図７（ｄ）に示す防漏壁６においては、第２の防漏壁２０が、防漏壁６を構成する伸縮性シート７、即ち、複数本（３本）の弾性部材７３により伸縮性が付与された複合シート（疎水性シート）から構成されており、より具体的には、防漏壁６を構成する伸縮性シート７を折り返すことにより構成されており、防漏壁６と第２の防漏壁２０とが連続した１枚の伸縮性シート７によって一体的に形成されている。図７（ｃ）及び図７（ｄ）に示す防漏壁６においても、第２の防漏壁２０は防漏壁６の外側部６Ｂ側に偏在している。
【００４４】
図７（ｃ）に示す第２の防漏壁２０においては、該防漏壁２０の肌対向面側（外面側）は、防漏壁６の非肌対向面側（内面側）を形成するシート７２によって形成され、該防漏壁２０の非肌対向面側（内面側）は、防漏壁６の肌対向面側（外面側）を形成するシート７１によって形成されている。図７（ｃ）に示す防漏壁６においては、ループ状をなして起立する第２の防漏壁２０の起立基端部を構成する、伸縮性シート７の長手方向Ｘに延びる一側部７Ａが、空間１０又はポケット部４１においてシート７１の表面に接着剤等の接合手段により接合固定されている。
【００４５】
図７（ｄ）に示す第２の防漏壁２０においては、該防漏壁２０の肌対向面側（外面側）は、防漏壁６の肌対向面側（外面側）を形成するシート７１によって形成され、該防漏壁２０の非肌対向面側（内面側）は、防漏壁６の非肌対向面側（内面側）を形成するシート７２によって形成されている。図７（ｄ）に示す防漏壁６においては、伸縮性シート７の一側部７Ａが、対向する伸縮性シート７どうし（シート７２どうし）の間に挟持固定されている。
【００４６】
図７（ｃ）及び図７（ｄ）に示すように、防漏壁６と第２の防漏壁２０とを１枚の連続した伸縮性シート７から構成することにより、防漏壁の材料構成を簡略化することが可能となる。
【００４７】
一方、図７（ａ）及び図７（ｂ）に示すように、防漏壁６と第２の防漏壁２０とをそれぞれ別体の伸縮性シート７，２２から構成することにより、各防漏壁６，２０に異なる特性を付与することが可能となり、それによって防漏壁６全体の特性をより一層向上させることが可能となる。例えば、第２の防漏壁２０を構成する伸縮性シート２２として、ポリエチレンテレフタレート製の合成繊維を含んで構成される反発性の高い不織布を用い、且つ防漏壁６を構成する伸縮性シート７として、ポリエチレン製の合成繊維を含んで構成される柔軟な不織布を用いることにより、肌触りが柔らかく且つ圧縮回復性が良好な防漏壁６を得ることが可能となる。また、防漏壁６を構成する伸縮性シート７として、比較的目開きの大きな不織布を用いて高粘性液体の取り込み性を向上させる場合、第２の防漏壁２０を構成する伸縮性シート２２として、比較的目の詰まった不織布を用いることで、防漏壁６全体としての防漏性の低下を防止できる。また、防漏壁６を構成する伸縮性シート７と第２の防漏壁２０を構成する伸縮性シート２２とで、坪量を異ならせることもでき、例えば、伸縮性シート７を相対的に低坪量に、伸縮性シート２２を相対的に高坪量にした場合にも、肌触りが柔らかく且つ圧縮回復性が良好な防漏壁６を得ることが可能となる。
【００４８】
第２の防漏壁２０は、図８（ａ）、図８（ｂ）及び図８（ｃ）に示すように、内側外層シート３Ａ及び／又は外側外層シート３Ｂを含んで構成されていても良い。図８（ａ）〜図８（ｃ）に示す第２の防漏壁２０は、何れも防漏壁６の外側部６Ｂ側に偏在している。図８（ａ）〜図８（ｃ）に示す第２の防漏壁２０を構成するシート３Ａ，３Ｂは、弾性部材７３により伸縮性が付与された複合シートであり疎水性（液不透過性）のシートである。
【００４９】
図８（ａ）に示す第２の防漏壁２０は、外側外層シート３Ｂを含んで構成されている。第２の防漏壁２０を構成する外側外層シート３Ｂは、長手方向Ｘに延びる折曲線Ｌ５で２つ折りされ互いに重ね合わされて２層構造とされており、外側外層シート３Ｂの長手方向Ｘに沿う両側部（図示せず）は、第２接合部９よりもおむつ１Ａの幅方向Ｙの外方に位置している。第２の防漏壁２０の小中空部２１の下部において、相対向する外側外層シート３Ｂどうしが、ホットメルト型接着剤を塗布してなる接合部２５によって接合されており、それによって小中空部２１は閉鎖空間となっている。
【００５０】
図８（ｂ）に示す第２の防漏壁２０は、内側外層シート３Ａを含んで構成されている。第２の防漏壁２０を構成する内側外層シート３Ａは、長手方向Ｘに延びる折曲線Ｌ６で２つ折りされ互いに重ね合わされて２層構造とされており、内側外層シート３Ａの長手方向Ｘに沿う両側部（図示せず）は、第１接合部８よりもおむつ１Ａの幅方向Ｙの内方に位置している。第２の防漏壁２０の小中空部２１の下部において、相対向する内側外層シート３Ａどうしが接合部２５によって接合されており、それによって小中空部２１は閉鎖空間となっている。
【００５１】
図８（ｃ）に示す第２の防漏壁２０は、内側外層シート３Ａ及び外側外層シート３Ｂを含んで構成されており、より具体的には、内側外層シート３Ａを含んで構成され且つ小中空部２７を有するループ状をなして起立する外側防漏壁２６と、外側外層シート３Ｂを含んで構成され且つ外側防漏壁２６の小中空部２７に配置される内側防漏壁２８とから構成されており、内側防漏壁２８は第２の小中空部２９を有するループ状をなして起立している。中空部内の容積（中空部内の空間体積）は、大きい順に、中空部６０、小中空部２７、第２の小中空部２９となっている。第２の小中空部２９の下部において、相対向する外側外層シート３Ｂどうしが接合部２５によって接合されており、それによって第２の小中空部２９は閉鎖空間となっている。外側防漏壁２６を構成する内側外層シート３Ａ及び内側防漏壁２８を構成する外側外層シート３Ｂは、それぞれ、長手方向Ｘに延びる折曲線（図示せず）で２つ折りされ互いに重ね合わされて２層構造とされている。内側外層シート３Ａと外側外層シート３Ｂとの間は、それぞれ、所定箇所においてホットメルト型接着剤等の公知の接合手段により接合されていても良い。
【００５２】
本発明の吸収性物品は、図１に示す如きファスニングテープを有する展開型の使い捨ておむつの他、予めパンツ型に形成されたパンツ型の使い捨ておむつ、吸収パッド、生理用ナプキン等であっても良い。図９には、本発明の吸収性物品の一実施形態である生理用ナプキンが示されている。
【００５３】
本実施形態のナプキン１Ｂは、図９に示すように、表面シート２、外層シート３、及び両シート２，３間に介在する吸収体収容部（図示せず）に収容された吸収体４を具備する縦長の吸収性本体５と、吸収性本体５の肌対向面１ａ側における長手方向Ｘの両側部それぞれに形成された防漏壁６，６とを備えている。防漏壁６を含む、ナプキン１Ｂの主たる構成は、前述したおむつ１Ａと略同じであり、図９のＩＩ−ＩＩ線断面は、図示していないが、おむつ１Ａの幅方向Ｙに沿う断面（図２参照）と略同じであり、主として、レッグ弾性部材１１が設けられていない点、並びに後述するウイング部１６及びエンボス溝１７が設けられている点で、図２に示すおむつ１Ａの断面と異なる。
【００５４】
ナプキン１Ｂは、図９に示すように、着用時に着用者の排泄部（膣口）に対向配置される排泄部対向領域Ｃと、着用時に排泄部対向領域Ｃより着用者の腹側に配される前方領域Ｂと、着用時に排泄部対向領域Ｃより着用者の背中側に配される後方領域Ａとを、長手方向Ｘに有している。排泄部対向領域Ｃは、左右に一対のウイング部１６，１６を有する部分である。ウイング部１６は、吸収体４の幅方向Ｙの外方に位置する、外層シート３と伸縮性シート６０との積層部分（サイドフラップ部）が、排泄部対向領域Ｃにおいて幅方向Ｙの外方に更に延出して形成されている。ナプキン１Ｂの肌対向面１ａには、表面シート２と吸収体４とを固定する一対のエンボス溝１７が形成されている。エンボス溝１７は、ナプキン１Ｂの両側部に、長手方向Ｘに延びて延在している。図示しないナプキン１Ｂの非肌対向面（外層シート３の非肌対向面）の所定箇所には、粘着剤が塗布されてズレ止め部（図示せず）が形成されている。ナプキン１Ｂによっても、おむつ１Ａと同様の効果が奏され、経血の如き高粘性の排泄液であっても、横漏れを起こし難く、高い液吸収性が得られる。
【００５５】
本発明は、前記実施形態に制限されず、本発明の趣旨を逸脱しない範囲で適宜変更が可能である。例えば、前記実施形態では、伸縮性シート７，２２は、１枚の疎水性シートが折り重ねられて形成されていたが、２枚の疎水性シートが積層されて形成されていても良い。前述した一の実施形態のみが有する部分は、すべて適宜相互に利用できる。
【符号の説明】
【００５６】
１Ａ  使い捨ておむつ（吸収性物品）
１Ｂ  生理用ナプキン（吸収性物品）
２  表面シート
３  外層シート
３Ａ  内側外層シート
３Ｂ  外側外層シート
４  吸収体
５  吸収性本体
６  防漏壁
６ａ  防漏壁の頂部
６Ａ  防漏壁の内側部
６Ｂ  防漏壁の外側部
７，２２  伸縮性シート
８  第１接合部
９  第２接合部
１０  空間
２０  第２の防漏壁
２１  第２の防漏壁の小中空部
２６  外側防漏壁
２７  外側防漏壁の小中空部
２８  内側防漏壁
２９  内側防漏壁の第２の小中空部
３０  第２の外層シート
４０  吸収体収容部
４１  ポケット部
６０  防漏壁の中空部
６１  起立阻害部
６５  開孔
７１  肌対向面側のシート
７２  非肌対向面側のシート
７３  弾性部材
７５  防漏フィルム
Ａ  背側部（後方領域）
Ｂ  腹側部（前方領域）
Ｃ  股下部（排泄部対向領域）
Ｒ１  防漏壁の外径
Ｒ２  防漏壁の起立高さ
Ｒ３  第１接合部と第２接合部との離間距離
【図１】
0005654318.tif 000002
【図２】
0005654318.tif 000003
【図３】
0005654318.tif 000004
【図４】
0005654318.tif 000005
【図５】
0005654318.tif 000006
【図６】
0005654318.tif 000007
【図７】
0005654318.tif 000008
【図８】
0005654318.tif 000009
【図９】
0005654318.tif 000010